(57)【要約】【課題】利用者のそのときの気持ち、体調、のどの調子、演奏曲に対する習熟度、あるいは利用者の性格等にきめ細かく対応させた、適切な娯楽サービスの提供を行う。【解決手段】カラオケ装置１００は、音源１０６、音声制御部１０７、及びスピーカ１０８によってＭＩＤＩデータの再生が行われた際に、マイク１０５から入力される利用者によるカラオケ歌唱の音声信号を、所定の時間区分が終了するごとに、採点する。また、所定の時間区分が終了するごとに、その時点で表示部１０９において表示されていた背景映像データに代えて、当該終了した時間区分に対応する採点結果に応じた割り込み映像データを、表示部１０９に表示させる。また、所定の時間区分が終了するごとに、当該終了した時間区分に対する新たな採点結果と、当該終了した時間区分の１つ前の時間区分の採点結果とを比較し、その比較結果に応じて、それ以降の時間区分の長さを可変に制御する。【選択図】図６
2011215196.tif 000002
【特許請求の範囲】
【請求項１】
楽曲データ及び背景映像データを用いて、カラオケ演奏曲の再生サービスを提供するカラオケ装置であって、
利用者による前記カラオケ演奏曲の予約を受け付ける予約受付手段と、
前記楽曲データを記憶する楽曲データ記憶手段と、
前記背景映像データを記憶する映像データ記憶手段と、
前記予約受付手段が受け付けた前記予約に基づき、前記楽曲データ記憶手段から読み出された前記楽曲データを再生する楽曲再生手段と、
前記楽曲再生手段により前記楽曲データの再生が行われるのにしたがい、前記映像データ記憶手段から読み出された前記背景映像データを表示可能な表示手段と、
前記利用者によるカラオケ歌唱の音声信号を入力するための音声信号入力手段と、
前記楽曲再生手段によって前記楽曲データの再生が行われた際に、前記音声信号入力手段から入力される前記カラオケ歌唱の音声信号を、所定の時間区分が終了するごとに、採点する採点手段と、
前記時間区分ごとの前記採点手段による採点結果を順次記憶する、採点結果記憶手段と、
前記所定の時間区分が終了するごとに、その時点で前記表示手段において表示されていた前記背景映像データに代えて、当該終了した時間区分に対応する前記採点手段による採点結果に応じた割り込み映像データを表示するように、前記表示手段を制御する表示制御手段と、
前記所定の時間区分が終了するごとに、当該終了した時間区分に対する前記採点手段による新たな採点結果と、前記採点結果記憶手段に記憶された、当該終了した時間区分の１つ前の時間区分の採点結果とを、比較する比較手段と、
前記比較手段の比較結果に応じて、それ以降の前記時間区分の長さを可変に制御する区分制御手段と、
を有することを特徴とするカラオケ装置。
【請求項２】
請求項１記載のカラオケ装置において、
前記区分制御手段は、
前記比較手段による比較結果において、前記終了した時間区分に対する前記新たな採点結果が、前記１つ前の時間区分の採点結果よりも低得点となっていた場合には、前記時間区分の長さを拡大するように制御する拡大制御手段を含む
ことを特徴とするカラオケ装置。
【請求項３】
請求項１又は請求項２記載のカラオケ装置において、
前記区分制御手段は、
前記比較手段による比較結果において、前記終了した時間区分に対する前記新たな採点結果が、前記１つ前の時間区分の採点結果よりも高得点となっていた場合には、前記時間区分の長さを縮小するように制御する縮小制御手段を含む
ことを特徴とするカラオケ装置。
【請求項４】
請求項３記載のカラオケ装置において、
前記時間区分の初期値を記憶する初期時間区分記憶手段と、
前記縮小制御手段により前記時間区分の長さが縮小される新たな時間区分が、前記初期時間区分記憶手段に記憶された前記初期値未満となるかどうかを判定する判定手段と、
前記判定手段により、前記新たな時間区分が前記初期値未満となったと判定された場合には、前記時間区分の長さの縮小を行わず、その時点での前記時間区分の長さを前記新たな時間区分の長さとする縮小中止手段と
を有する
ことを特徴とするカラオケ装置。
【発明の詳細な説明】
【技術分野】
【０００１】
本発明は、カラオケ演奏曲の再生サービスを提供するカラオケ装置に関する。
【背景技術】
【０００２】
従来、カラオケ演奏曲の再生サービスを提供する技術が、既に提唱されている（例えば、特許文献１参照）。
【０００３】
この従来技術では、カラオケ装置（自動演奏装置）のメモリに、所望の楽曲を自動演奏するための音高データ及び時間データと、所望の音高のかけ声や合いの手等の補助人声音の発生を指示する発音命令信号とが演奏進行に従って記憶される。また、波形記憶回路には、上記補助人声音に対応した人声音データが記憶される。そして、メモリから時間データに基づいて音高データが読み出されて、サウンドシステムから楽音が発生されることにより自動演奏、すなわち、カラオケ演奏曲の再生が行われる。また一方、メモリから読み出された発音命令信号及び音高データに基づいて、波形記憶回路から人声音データが読み出されて、サウンドシステムから補助人声音が発生される。これにより、カラオケ演奏曲の再生中に、任意のタイミングで所望の補助人声音を自動的に再生することができる。
【先行技術文献】
【特許文献】
【０００４】
【特許文献１】特開平８−３３９１８３号公報
【発明の概要】
【発明が解決しようとする課題】
【０００５】
上記従来技術では、カラオケ演奏曲の再生中に、所望の音高のかけ声や合いの手等の補助人声音を発生させ、利用者の興趣の向上を図っているに過ぎない。すなわち、利用者のそのときの気持ち、体調、のどの調子、演奏曲に対する習熟度、あるいは利用者の性格等については特に配慮されていなかった。
【０００６】
本発明の目的は、利用者のそのときの気持ち、体調、のどの調子、演奏曲に対する習熟度、あるいは利用者の性格等にきめ細かく対応させた、適切な娯楽サービスの提供を行うことができるカラオケ装置を提供することにある。
【課題を解決するための手段】
【０００７】
上記目的を達成するために、第１の発明は、楽曲データ及び背景映像データを用いて、カラオケ演奏曲の再生サービスを提供するカラオケ装置であって、利用者による前記カラオケ演奏曲の予約を受け付ける予約受付手段と、前記楽曲データを記憶する楽曲データ記憶手段と、前記背景映像データを記憶する映像データ記憶手段と、前記予約受付手段が受け付けた前記予約に基づき、前記楽曲データ記憶手段から読み出された前記楽曲データを再生する楽曲再生手段と、前記楽曲再生手段により前記楽曲データの再生が行われるのにしたがい、前記映像データ記憶手段から読み出された前記背景映像データを表示可能な表示手段と、前記利用者によるカラオケ歌唱の音声信号を入力するための音声信号入力手段と、前記楽曲再生手段によって前記楽曲データの再生が行われた際に、前記音声信号入力手段から入力される前記カラオケ歌唱の音声信号を、所定の時間区分が終了するごとに、採点する採点手段と、前記時間区分ごとの前記採点手段による採点結果を順次記憶する、採点結果記憶手段と、前記所定の時間区分が終了するごとに、その時点で前記表示手段において表示されていた前記背景映像データに代えて、当該終了した時間区分に対応する前記採点手段による採点結果に応じた割り込み映像データを表示するように、前記表示手段を制御する表示制御手段と、前記所定の時間区分が終了するごとに、当該終了した時間区分に対する前記採点手段による新たな採点結果と、前記採点結果記憶手段に記憶された、当該終了した時間区分の１つ前の時間区分の採点結果とを、比較する比較手段と、前記比較手段の比較結果に応じて、それ以降の前記時間区分の長さを可変に制御する区分制御手段と、を有することを特徴とする。
【０００８】
本願第１発明のカラオケ装置は、利用者がカラオケ演奏曲の予約をすると、当該カラオケ演奏曲に対応した楽曲データが楽曲データ記憶手段より読み出されて楽曲再生手段により再生されると共に、背景映像データが映像データ記憶手段により読み出されて表示手段により表示される。背景映像データは、予約された演奏曲に対応付けられたデータであってもよいし、予約とは無関係なデータであってもよい。上記楽曲データの再生にしたがって利用者が当該カラオケ演奏曲の歌唱を行うと、当該カラオケ歌唱の音声信号が音声信号入力手段により入力される。上記入力された音声信号は、所定の時間区分ごとに、予め定められた採点基準に沿って採点される。
【０００９】
ここで、本願第１発明においては、娯楽性を高めるために、表示制御手段の制御により、上記時間区分ごとの採点結果に対応した割り込み表示が行われる。すなわち、表示手段が、上記時間区分が終了するごとに背景映像データの表示を止め、これに代えて、当該終了した時間区分の採点結果に応じた割り込み映像データを表示する。これにより、利用者は、直前の自己の歌唱がどのように評価されたかを、視覚的に強い印象で認識することができるので、利用者の興趣を向上することができる。
【００１０】
そして、本願第１発明においてはさらに、比較手段が、ある時間区分が終了して得られた新たな採点結果と、採点結果記憶手段に記憶された１つ前の回の時間区分の採点結果とを比較する。そして、区分制御手段が、その比較手段の比較結果に応じて、それ以降の時間区分の長さを可変に制御する。これにより、採点結果が前回よりも向上していた場合には、割り込み表示によって利用者の歌唱意欲が向上し歌唱の調子がよくなってきたとみなし、さらに利用者の歌唱意欲を高揚させるために時間区分を短くし、次の割り込み映像データをそれまでよりも短い間隔で早めに表示させることが可能となる。逆に採点結果が前回よりも低下していた場合には、割り込み表示によって利用者の歌唱意欲を阻害し利用者の歌唱の調子が悪くなってきたとみなし、利用者の歌唱意欲の低下を挽回させるために時間区分を長くし、次の割り込み映像データをそれまでよりも長い間隔で遅めに表示させることが可能となる。
【００１１】
以上のように、本願第１発明では、割り込み映像データの表示による利用者の興趣の向上を基本としながらも、利用者の、割込映像データの表示間隔を変化させる。これにより、利用者のそのときの気持ち、体調、のどの調子、演奏曲に対する習熟度、あるいは利用者の性格等にきめ細かく対応させた、適切な娯楽サービスの提供を行うことができる。
【００１２】
第２の発明は、上記第１発明において、前記区分制御手段は、前記比較手段による比較結果において、前記終了した時間区分に対する前記新たな採点結果が、前記１つ前の時間区分の採点結果よりも低得点となっていた場合には、前記時間区分の長さを拡大するように制御する拡大制御手段を含むことを特徴とする。
【００１３】
本願第２発明においては、前回時間区分よりも得点が低下した場合、割り込み表示によって利用者の歌唱意欲が阻害され歌唱の調子が悪くなってきたとみなし、時間区分を長くして、次の割り込み映像データをそれまでよりも長い間隔で遅めに表示させる。これにより、さらに利用者の歌唱意欲の低下を挽回させることができる。
【００１４】
第３の発明は、上記第１又は第２発明において、前記区分制御手段は、前記比較手段による比較結果において、前記終了した時間区分に対する前記新たな採点結果が、前記１つ前の時間区分の採点結果よりも高得点となっていた場合には、前記時間区分の長さを縮小するように制御する縮小制御手段を含むことを特徴とする。
【００１５】
本願第３発明においては、前回時間区分よりも得点が向上した場合、割り込み表示によって利用者の歌唱意欲が向上し歌唱の調子がよくなってきたとみなし、時間区分を短くして、次の割り込み映像データをそれまでよりも短い間隔で早めに表示させる。これにより、さらに利用者の歌唱意欲を高揚させることができる。
【００１６】
第４の発明は、上記第３発明において、前記時間区分の初期値を記憶する初期時間区分記憶手段と、前記縮小制御手段により前記時間区分の長さが縮小される新たな時間区分が、前記初期時間区分記憶手段に記憶された前記初期値未満となるかどうかを判定する判定手段と、前記判定手段により、前記新たな時間区分が前記初期値未満となったと判定された場合には、前記時間区分の長さの縮小を行わず、その時点での前記時間区分の長さを前記新たな時間区分の長さとする縮小中止手段とを有することを特徴とする。
【００１７】
これにより、採点結果の向上が連続した場合であっても、縮小制御手段により短縮される時間区分の最小値を当該カラオケ演奏曲における当初の時間区分とし、当該時間区分未満には短縮しないようにすることができる。また、カラオケ演奏曲の当初の時間区分より小さくはしないことにより、歌唱開始直後から採点結果が向上し続けている場合でも、背景映像データに過度に近い間隔で割り込み映像データが割り込み、背景画を見ながらカラオケ歌唱を行うこと自体が困難となるのを防止することができる。
【発明の効果】
【００１８】
本発明によれば、利用者のそのときの気持ち、体調、のどの調子、演奏曲に対する習熟度、あるいは利用者の性格等にきめ細かく対応させた、適切な娯楽サービスの提供を行うことができる。
【図面の簡単な説明】
【００１９】
【図１】本発明の一実施の形態のカラオケ装置を備えるカラオケ演奏曲再生システムの全体構成を表すシステム構成図である。
【図２】カラオケ装置の表示部に表示される背景映像データの一例を表す説明図である。
【図３】カラオケ装置の表示部に表示される得点ダウン演出に係わる割り込み映像データの一例を表す説明図である。
【図４】カラオケ装置の表示部に表示される得点不変演出に係わる割り込み映像データの一例を表す説明図である。
【図５】カラオケ装置の表示部に表示される得点アップ演出に係わる割り込み映像データの一例を表す説明図である。
【図６】割り込み映像データの表示、及び、時間区分の長さの拡大・縮小の流れの一例を表す説明図である。
【図７】カラオケ装置の制御部が実行する制御手順を表すフローチャートである。
【図８】割り込み映像データの表示を行わないモードを備える変形例において、カラオケ装置の制御部が実行する制御手順を表すフローチャートである。
【図９】ステップＳ４００の詳細手順を表すフローチャートである。
【発明を実施するための形態】
【００２０】
以下、本発明の一実施の形態を図面を参照しつつ説明する。
【００２１】
図１を用いて、本実施形態のカラオケ装置を備えるカラオケ演奏曲再生システムの全体構成を説明する。
【００２２】
図１において、カラオケ演奏曲再生システム１は、カラオケ演奏曲の再生サービスを提供するカラオケ店舗等のカラオケルームＫＲにそれぞれ設置された、カラオケ装置１００及びリモコン２００と、認証サーバ３００とを有している。
【００２３】
なお、カラオケ装置１００とリモコン２００とは、例えば無線又は有線のＬｏｃａｌ  Ａｒｅａ  Ｎｅｔｗｏｒｋ（ＬＡＮ）等のネットワークＮＷ１を介し、互いに情報送受信可能に接続されている。また、カラオケ装置１００やリモコン２００と、認証サーバ３００とは、上記ネットワークＮＷ１と、例えば通信ネットワーク等のネットワークＮＷ２とを介し、互いに情報送受信可能に接続されている。
【００２４】
カラオケ装置１００は、楽曲データとしてのＭｕｓｉｃａｌ  Ｉｎｓｔｒｕｍｅｎｔ  Ｄｉｇｉｔａｌ  Ｉｎｔｅｒｆａｃｅ（ＭＩＤＩ；登録商標）データ、及び、背景映像データを用いて、カラオケ演奏曲の再生サービスを提供する装置である。このカラオケ装置１００は、制御部１０１と、大容量記憶装置１０３と、操作部１０４と、マイク１０５と、音源１０６と、音声制御部１０７と、スピーカ１０８と、表示部１０９と、通信制御部１１０とを有している。
【００２５】
制御部１０１は、図示しないＣＰＵ及びＲＡＭ、ＲＯＭ等のメモリを備えている。この制御部１０１は、ＲＡＭの一時記憶機能を利用しつつ、ＲＯＭや上記大容量記憶装置１０３に予め記憶された各種プログラムを実行する。これにより、カラオケ装置１００全体の制御を行う。特に、制御部１０１は、後述の音源１０６等によってＭＩＤＩデータの再生が行われた際に、後述のマイク１０５から入力される利用者によるカラオケ歌唱の音声信号を、所定の時間区分（例えば３０間隔で区分された複数の時間区分のうち１つの時間区分）が終了するごとに、採点する（詳細は後述）。
【００２６】
大容量記憶装置１０３は、例えばＨａｒｄ  Ｄｉｓｋ  Ｄｒｉｖｅ（ＨＤＤ）などから構成される。この大容量記憶装置１０３には、ＭＩＤＩデータ、背景映像データ、歌詞データ、及び、上記時間区分の初期値（例えば３０［秒／区分］。詳細は後述）等の各種情報が記憶されている。また、この大容量記憶装置１０３には、上記時間区分ごとの制御部１０１によるカラオケ歌唱の音声信号の採点結果が順次記憶される（詳細は後述）。
【００２７】
なお、この大容量記憶装置１０３が、各請求項記載の、楽曲データ記憶手段、映像データ記憶手段、採点結果記憶手段、及び、初期時間区分記憶手段として機能する。
【００２８】
操作部１０４は、例えば複数のキーやスイッチなどから構成される。利用者は、この操作部１０４又は後述のリモコン２００の操作部２０４を用いて、カラオケ演奏曲の予約操作等の各種操作を行うことができる。
【００２９】
マイク１０５は、利用者によるカラオケ歌唱の音声を音声信号に変換して入力する。なお、このマイク１０５が、各請求項記載の音声信号入力手段として機能する。
【００３０】
音源１０６は、上記制御部１０１によって大容量記憶装置１０３から読み出されたＭＩＤＩデータを再生して音声制御部１０７へ出力する。
【００３１】
音声制御部１０７は、音源１０６から出力されたＭＩＤＩデータ、及び、マイク１０５により入力された音声信号を増幅してスピーカ１０８へ出力する。
【００３２】
スピーカ１０８は、音声制御部１０７から出力されたＭＩＤＩデータ及び音声信号を音声出力する。
【００３３】
なお、これら音源１０６、音声出力部１０７、及びスピーカ１０８が、各請求項記載の楽曲再生手段として機能する。以下適宜、これら音源１０６、音声出力部１０７、及びスピーカ１０８を、省略して「音源１０６等」と称する。
【００３４】
表示部１０９は、例えば液晶ディスプレイなどから構成され、各種映像を表示する。特に、表示部１０９は、上記音源１０６等によるＭＩＤＩデータの再生に同期して、言い換えれば、音源１０６等によりＭＩＤＩデータの再生が行われるのにしたがい、大容量記憶装置１０３から読み出された、背景映像データ、及び、歌詞データに対応したテロップ等を表示することができる。なお、この表示部１０９が、各請求項記載の表示手段として機能する。
【００３５】
通信制御部１１０は、リモコン２００や認証サーバ３００との間で、上記ネットワークＮＷ１,ＮＷ２を介し行われる情報通信の制御を行う。
【００３６】
リモコン２００は、利用者がカラオケ演奏曲の予約操作等の各種操作を行うための操作端末である。このリモコン２００は、制御部２０１と、記憶装置２０３と、操作部２０４と、表示部２０９と、通信制御部２１０とを有している。
【００３７】
制御部２０１は、図示しないＣＰＵ及びＲＡＭ、ＲＯＭ等のメモリを備えている。この制御部２０１は、ＲＡＭの一時記憶機能を利用しつつ、ＲＯＭや上記記憶装置２０３に予め記憶された各種プログラムを実行する。これにより、リモコン２００全体の制御を行う。
【００３８】
記憶装置２０３は、例えば不揮発性メモリなどから構成され、各種情報を記憶する。
【００３９】
操作部２０４は、例えば複数のキーやスイッチなどから構成される。利用者は、この操作部２０４又は上記カラオケ装置１００の操作部１０４を用いて、カラオケ演奏曲の予約操作等の各種操作を行うことができる。
【００４０】
表示部２０９は、例えば液晶ディスプレイなどから構成され、各種表示を行う。
【００４１】
通信制御部２１０は、カラオケ装置１００や認証サーバ３００との間で、上記ネットワークＮＷ１,ＮＷ２を介し行われる情報通信の制御を行う。なお、この例では、通信制御部２１０とネットワークＮＷ１との間の接続は無線接続となっている。
【００４２】
認証サーバ３００は、制御部３０１と、大容量記憶装置３０３と、通信制御部３１０とを有している。
【００４３】
制御部３０１は、図示しないＣＰＵ及びＲＡＭ、ＲＯＭ等のメモリを備えている。この制御部３０１は、ＲＡＭの一時記憶機能を利用しつつ、ＲＯＭや上記大容量記憶装置３０３に予め記憶された各種プログラムを実行する。これにより、認証サーバ３００全体の制御を行う。
【００４４】
大容量記憶装置３０３は、例えばＨＤＤなどから構成され、各種情報を記憶する。
【００４５】
通信制御部３１０は、カラオケ装置１００やリモコン２００との間で、上記ネットワークＮＷ２,ＮＷ１を介し行われる情報通信の制御を行う。
【００４６】
ここで、本実施形態の最大の特徴は、カラオケ装置１００の制御部１０１が、所定の時間区分が終了するごとに、マイク１０５から入力されるカラオケ歌唱の音声信号を採点すること、所定の時間区分が終了するごとに、表示部１０９に、その時点で表示されていた背景映像データに代えて、当該終了した時間区分に対応する採点結果に応じた割り込み映像データを表示させること、及び、所定の時間区分が終了するごとに、当該終了した時間区分に対する新たな採点結果と、当該終了した時間区分の１つ前の時間区分の採点結果とを比較し、その比較結果に応じて、それ以降の時間区分の長さを可変に制御すること、である。
【００４７】
本実施形態においては、利用者がカラオケ装置１００の操作部１０４又はリモコン２００の操作部２０４を用いてカラオケ演奏曲の予約操作を行うと、カラオケ演奏曲の予約が受け付けられる。すると、その受け付けられたカラオケ演奏曲の予約に基づき、当該カラオケ演奏曲に対応したＭＩＤＩデータ、背景映像データ、及び歌詞データ等が大容量記憶装置１０３から読み出される。そして、その読み出されたＭＩＤＩデータが、音源１０６等により再生されると共に、上記読み出された背景映像データ及び歌詞データが、上記ＭＩＤＩデータの再生と同期して、表示部１０９に表示される。
【００４８】
なお、大容量記憶装置１０３から読み出されて表示部１０９に表示される背景映像データは、予約に係わるカラオケ演奏曲にリンクした内容のデータであってもよいし、当該カラオケ演奏曲とは無関係な内容のデータであってもよい。
【００４９】
図２に、表示部１０９に表示される背景映像データの一例を示す。
【００５０】
図２に示す例では、表示部１０９には、予約に係わるカラオケ演奏曲に対応したＭＩＤＩデータの再生と同期した、当該カラオケ演奏曲に対応した背景映像ＧＰが表示されている。この例では、背景映像Ｇとして、家族がドライブしている風のシーンが表示されている。またこれと共に、当該カラオケ演奏曲に対応した歌詞テロップＷ（図中では「＊＊＊＊＊」で略記されている。以下同様）が表示されている。
【００５１】
ＭＩＤＩデータの再生が行われている際に、表示部１０９に表示される背景画ＧＰや歌唱テロップＷを見ながら、利用者がカラオケ演奏曲の歌唱を行うと、当該カラオケ歌唱の音声信号がマイク１０５により入力される。そして、所定の時間区分（例えば３０秒間隔で区分された複数の時間区分のうち１つの時間区分）が終了するごとに、当該終了した時間区分でマイク１０５により入力されたカラオケ歌唱の音声信号が、予め定められた採点基準に沿って採点される。
【００５２】
その後、当該終了した時間区分に対する新たな採点結果と、当該終了した時間区分の１つ前の時間区分の採点結果とが比較される。そして、上記終了した時間区分に対応する採点結果に応じた、具体的には、上記比較結果に応じた、割り込み映像データが、その時点で表示部１０９において表示されていた背景映像データに代えて、表示部１０９に割り込み表示される。割り込み映像データの表示は、所定時間（例えば５秒間）だけ行われ、当該所定時間経過後は、元の背景映像データの表示に戻る。なお、割り込み映像データが表示されている際に、当該割り込み映像データに対応した音声が出力されるようにしてもよい。
【００５３】
例えば、上記終了した時間区分に対する新たな採点結果が、１つ前の時間区分の採点結果よりも低得点となっていた場合がある。この場合には、その時点で表示部１０９において表示されていた背景映像データに代えて、得点ダウン演出に係わる割り込み映像データが、表示部１０９に表示される（後述の図３参照）。
【００５４】
また例えば、上記終了した時間区分に対する新たな採点結果が、１つ前の時間区分の採点結果と同じ得点となっていた場合がある。この場合には、その時点で表示部１０９において表示されていた背景映像データに代えて、得点不変演出に係わる割り込み映像データが、表示部１０９に表示される（後述の図４参照）。
【００５５】
また例えば、上記終了した時間区分に対する新たな採点結果が、１つ前の時間区分の採点結果よりも高得点となっていた場合がある。この場合には、その時点で表示部１０９において表示されていた背景映像データに代えて、得点アップ演出に係わる割り込み映像データが、表示部１０９に表示される（後述の図５参照）。
【００５６】
図３に、表示部１０９に表示される上記得点ダウン演出に係わる割り込み映像データの一例を示す。
【００５７】
図３に示す例では、表示部１０９には、上記得点ダウン演出に係わる割り込み映像データとして、所定のキャラクタＣ（例えばアニメキャラクタ）が画面左側で得点ダウン演出を行っている割り込み映像ＣＰ１が表示されている。またこのとき、スピーカ１０８からは、当該割り込み映像ＣＰ１に対応した音声（例えば、「得点がダウンしたぞ。頑張れ〜」など）が出力されている。またこれと共に、終了した時間区分の採点結果に対応したテロップＳ（この例では「５０点」と図示されている）と、上記歌詞テロップＷとが表示されている。
【００５８】
図４に、表示部１０９に表示される上記得点不変演出に係わる割り込み映像データの一例を示す。
【００５９】
図４に示す例では、表示部１０９には、上記得点不変演出に係わる割り込み映像データとして、上記キャラクタＣが画面中央で得点不変演出を行っている割り込み映像ＣＰ２が表示されている。またこのとき、スピーカ１０８からは、当該割り込み映像ＣＰ２に対応した音声（例えば、「得点を維持しているぞ」など）が出力されている。またこれと共に、終了した時間区分の採点結果に対応したテロップＳ（この例では「５０点」と図示されている）と、上記歌詞テロップＷとが表示されている。
【００６０】
図５に、表示部１０９に表示される上記得点アップ演出に係わる割り込み映像データの一例を示す。
【００６１】
図５に示す例では、表示部１０９には、上記得点アップ演出に係わる割り込み映像データとして、上記キャラクタＣが画面右側で得点アップ演出を行っている割り込み映像ＣＰ３が表示されている。またこのとき、スピーカ１０８からは、当該割り込み映像ＣＰ３に対応した音声（例えば、「得点がアップしたぞ。その調子〜」など）が出力されている。またこれと共に、終了した時間区分の採点結果に対応したテロップＳ（この例では「１００点」と図示されている）と、上記歌詞テロップＷとが表示されている。
【００６２】
また、本実施形態においては、終了した時間区分に対する新たな採点結果と、当該終了した時間区分の１つ前の時間区分の採点結果との比較結果に応じて、それ以降の時間区分の長さが、拡大されたり、縮小されたりする。
【００６３】
例えば、終了した時間区分に対する新たな採点結果が、１つ前の時間区分の採点結果よりも、低得点となっていた場合には、それ以降の時間区分の長さが拡大され、高得点となっていた場合には、それ以降の時間区分の長さが縮小される。なお、終了した時間区分に対する新たな採点結果が、１つ前の時間区分の採点結果と同じ得点となっていた場合には、それ以降の時間区分の長さはそのまま変わらない。
【００６４】
図６を用いて、本実施形態における、割り込み映像データの表示、及び、時間区分の長さの拡大・縮小の流れの一例を説明する。なお、図６に示す例では、上記時間区分の初期値が３０［秒／区分］であり、時間区分の短縮値が５［秒］であり、時間区分の延長値が５［秒］である場合を例にとって説明している。また、この図６においては、１つめの時間区分を第１区分と称し、２つ目の時間区分を第２区分と称し、以下同様に、第３区分、第４区分、第５区分・・・と称している。
【００６５】
図６に示すように、カラオケ演奏曲に対応したＭＩＤＩデータの再生が開始されると、当該ＭＩＤＩデータの再生が行われるのにしたがい、表示部１０９に画面Ｄ１が表示される。この画面Ｄ１には、当該カラオケ演奏曲に対応した背景映像ＧＰ及び歌詞テロップＷが表示されている。
【００６６】
その後、上記時間区分の初期値（３０［秒／区分］）に対応した第１区分（３０秒）が終了すると、当該終了した第１区分においてマイク１０５により入力されたカラオケ歌唱の音声信号が採点される。この例では、当該カラオケ歌唱の音声信号は６０点と採点されている。
【００６７】
この場合には、表示部１０９の表示画面が画面Ｄ２に移る。画面Ｄ２には、その時点で表示部１０９に表示されていた背景映像ＧＰに代えて、上記得点不変演出に係わる割り込み映像画像ＣＰ２が割り込み表示されていると共に、当該第１区分での採点結果に対応したテロップＳ（「６０点」）が表示されている。
【００６８】
なお、歌詞テロップＷは、当該割り込み表示が行われている間も、ＭＩＤＩデータの再生と同期して、表示されている。また、割り込み映像画像ＣＰ２及びテロップＳの表示は、所定時間（例えば５秒間）だけ行われ、当該所定時間経過後は、元の背景映像ＧＰの表示に戻る。なお、以下、一々説明はしないが、後述する画面Ｄ３〜Ｄ１１においても同様である。
【００６９】
その後、上記時間区分の初期値（３０［秒／区分］）に対応した第２区分（３０秒）が終了すると、当該終了した第２区分においてマイク１０５により入力されたカラオケ歌唱の音声信号が採点される。この例では、当該カラオケ歌唱の音声信号は５５点と採点されている。すなわち、第２区分に対する新たな採点結果（５５点）は、１つ前の第１区分の採点結果（６０点）よりも低得点である。
【００７０】
この場合には、表示部１０９の表示画面が画面Ｄ３に移る。画面Ｄ３には、その時点で表示部１０９に表示されていた背景映像ＧＰに代えて、上記得点ダウン演出に係わる割り込み映像画像ＣＰ１が割り込み表示されていると共に、当該第２区分での採点結果に対応したテロップＳ（「５５点」）が表示されている。
【００７１】
そして、その時点での時間区分の長さ（３０秒）に上記延長値（５秒）が加算され、新たな時間区分の長さとされる。すなわち、新たな時間区分の長さは、３５［秒／区間］となる。
【００７２】
その後、この時点での時間区分の長さ（３５［秒／区間］）に対応した第３区分（３５秒）が終了すると、当該終了した第３区分においてマイク１０５により入力されたカラオケ歌唱の音声信号が採点される。この例では、当該カラオケ歌唱の音声信号は５０点と採点されている。すなわち、第３区分に対する新たな採点結果（５０点）は、１つ前の第２区分の採点結果（５５点）よりも低得点である。
【００７３】
この場合には、表示部１０９の表示画面が画面Ｄ４に移る。画面Ｄ４には、その時点で表示部１０９に表示されていた背景映像ＧＰに代えて、上記得点ダウン演出に係わる割り込み映像画像ＣＰ１が割り込み表示されていると共に、当該第３区分での採点結果に対応したテロップＳ（「５０点」）が表示されている。
【００７４】
そして、その時点での時間区分の長さ（３５秒）に上記延長値（５秒）が加算され、新たな時間区分の長さとされる。すなわち、新たな時間区分の長さは、４０［秒／区間］となる。
【００７５】
その後、この時点での時間区分の長さ（４０［秒／区間］）に対応した第４区分（４０秒）が終了すると、当該終了した第４区分においてマイク１０５により入力されたカラオケ歌唱の音声信号が採点される。この例では、当該カラオケ歌唱の音声信号は４５点と採点されている。すなわち、第４区分に対する新たな採点結果（４５点）は、１つ前の第３区分の採点結果（５０点）よりも低得点である。
【００７６】
この場合には、表示部１０９の表示画面が画面Ｄ５に移る。画面Ｄ５には、その時点で表示部１０９に表示されていた背景映像ＧＰに代えて、上記得点ダウン演出に係わる割り込み映像画像ＣＰ１が割り込み表示されていると共に、当該第４区分での採点結果に対応したテロップＳ（「４５点」）が表示されている。
【００７７】
そして、その時点での時間区分の長さ（４０秒）に上記延長値（５秒）が加算され、新たな時間区分の長さとされる。すなわち、新たな時間区分の長さは、４５［秒／区間］となる。
【００７８】
その後、この時点での時間区分の長さ（４５［秒／区間］）に対応した第５区分（４５秒）が終了すると、当該終了した第５区分においてマイク１０５により入力されたカラオケ歌唱の音声信号が採点される。この例では、当該カラオケ歌唱の音声信号は４５点と採点されている。すなわち、第５区分に対する新たな採点結果（４５点）は、１つ前の第４区分の採点結果（４５点）と同じ得点である。
【００７９】
この場合には、表示部１０９の表示画面が画面Ｄ６に移る。画面Ｄ６には、その時点で表示部１０９に表示されていた背景映像ＧＰに代えて、上記得点不変演出に係わる割り込み映像画像ＣＰ２が割り込み表示されていると共に、当該第５区分での採点結果に対応したテロップＳ（「４５点」）が表示されている。
【００８０】
その後、この時点での時間区分の長さ（４５［秒／区間］）に対応した第６区分（４５秒）が終了すると、当該終了した第６区分においてマイク１０５により入力されたカラオケ歌唱の音声信号が採点される。この例では、当該カラオケ歌唱の音声信号は５０点と採点されている。すなわち、第６区分に対する新たな採点結果（５０点）は、１つ前の第５区分の採点結果（４５点）よりも高得点である。
【００８１】
この場合には、表示部１０９の表示画面が画面Ｄ７に移る。画面Ｄ７には、その時点で表示部１０９に表示されていた背景映像ＧＰに代えて、上記得点アップ演出に係わる割り込み映像画像ＣＰ３が割り込み表示されていると共に、当該第６区分での採点結果に対応したテロップＳ（「５０点」）が表示されている。
【００８２】
そして、その時点での時間区分の長さ（４５秒）から上記短縮値（５秒）だけ差し引かれ、新たな時間区分の長さとされる。すなわち、新たな時間区分の長さは、４０［秒／区間］となる。
【００８３】
その後、この時点での時間区分の長さ（４０［秒／区間］）に対応した第７区分（４０秒）が終了すると、当該終了した第７区分においてマイク１０５により入力されたカラオケ歌唱の音声信号が採点される。この例では、当該カラオケ歌唱の音声信号は６０点と採点されている。すなわち、第７区分に対する新たな採点結果（６０点）は、１つ前の第６区分の採点結果（５０点）よりも高得点である。
【００８４】
この場合には、表示部１０９の表示画面が画面Ｄ８に移る。画面Ｄ８には、その時点で表示部１０９に表示されていた背景映像ＧＰに代えて、上記得点アップ演出に係わる割り込み映像画像ＣＰ３が割り込み表示されていると共に、当該第７区分での採点結果に対応したテロップＳ（「６０点」）が表示されている。
【００８５】
そして、その時点での時間区分の長さ（４０秒）から上記短縮値（５秒）だけ差し引かれ、新たな時間区分の長さとされる。すなわち、新たな時間区分の長さは、３５［秒／区間］となる。
【００８６】
その後、この時点での時間区分の長さ（３５［秒／区間］）に対応した第８区分（３５秒）が終了すると、当該終了した第８区分においてマイク１０５により入力されたカラオケ歌唱の音声信号が採点される。この例では、当該カラオケ歌唱の音声信号は７０点と採点されている。すなわち、第８区分に対する新たな採点結果（７０点）は、１つ前の第７区分の採点結果（６０点）よりも高得点である。
【００８７】
この場合には、表示部１０９の表示画面が画面Ｄ９に移る。画面Ｄ９には、その時点で表示部１０９に表示されていた背景映像ＧＰに代えて、上記得点アップ演出に係わる割り込み映像画像ＣＰ３が割り込み表示されていると共に、当該第８区分での採点結果に対応したテロップＳ（「７０点」）が表示されている。
【００８８】
そして、その時点での時間区分の長さ（３５秒）から上記短縮値（５秒）だけ差し引かれ、新たな時間区分の長さとされる。すなわち、新たな時間区分の長さは、３０［秒／区間］となる。
【００８９】
その後、この時点での時間区分の長さ（３０［秒／区間］）に対応した第９区分（３０秒）が終了すると、当該終了した第９区分においてマイク１０５により入力されたカラオケ歌唱の音声信号が採点される。この例では、当該カラオケ歌唱の音声信号は８０点と採点されている。すなわち、第９区分に対する新たな採点結果（８０点）は、１つ前の第８区分の採点結果（７０点）よりも高得点である。
【００９０】
この場合には、表示部１０９の表示画面が画面Ｄ１０に移る。画面Ｄ１０には、その時点で表示部１０９に表示されていた背景映像ＧＰに代えて、上記得点アップ演出に係わる割り込み映像画像ＣＰ３が割り込み表示されていると共に、当該第９区分での採点結果に対応したテロップＳ（「８０点」）が表示されている。
【００９１】
なおこのとき、上記と同様に、その時点での時間区分の長さ（３０秒）から上記短縮値（５秒）だけ差し引かれると、新たな時間区分は、２５［秒／区分］となり、上記時間区分の初期値（３０［秒／区分］）未満となる。本実施形態では、このように新たな時間区分が、上記時間区分の初期値未満となった場合には、時間区分の長さは縮小されず、その時点での時間区分の長さ（３０秒）が、新たな時間区分の長さとされる。
【００９２】
その後、この時点での時間区分の長さ（３０［秒／区間］）に対応した第１０区分（３０秒）が終了すると、当該終了した第１０区分においてマイク１０５により入力されたカラオケ歌唱の音声信号が採点される。この例では、当該カラオケ歌唱の音声信号は９０点と採点されている。すなわち、第１０区分に対する新たな採点結果（９０点）は、１つ前の第８区分の採点結果（８０点）よりも高得点である。
【００９３】
この場合には、表示部１０９の表示画面が画面Ｄ１１に移る。画面Ｄ１１には、その時点で表示部１０９に表示されていた背景映像ＧＰに代えて、上記得点アップ演出に係わる割り込み映像画像ＣＰ３が割り込み表示されていると共に、当該第１０区分での採点結果に対応したテロップＳ（「９０点」）が表示されている。
【００９４】
なおこのときも、上記と同様に、その時点での時間区分の長さ（３０秒）から上記短縮値（５秒）だけ差し引かれると、新たな時間区分は、２５［秒／区分］となり、上記時間区分の初期値（３０［秒／区分］）未満となるので、時間区分の長さは縮小されず、その時点での時間区分の長さ（３０秒）が、新たな時間区分の長さとされる。
【００９５】
その後、カラオケ演奏曲に対応したＭＩＤＩデータの再生が終了されるのにしたがい、表示部１０９による背景画像データ等の表示も終了されている。
【００９６】
図７を用いて、カラオケ装置１００の制御部１０１が実行する制御手順を説明する。
【００９７】
図７において、例えば図示しないシステム管理者によりカラオケ装置１００の電源がオンにされることによって、図中「ＳＴＡＲＴ」位置で表されるように、このフローが開始される。
【００９８】
まずステップＳ１０で、制御部１０１は、利用者による操作部１０４又はリモコン２００の操作部２０４を介したカラオケ演奏曲の予約操作に基づき、カラオケ演奏曲の予約を受け付けたかどうかを判定する。利用者によるカラオケ演奏曲の予約を受け付けるまで、判定が満たされずループして待機する。そして、利用者によるカラオケ演奏曲の予約を受け付けたら、判定が満たされてステップＳ２０に移る。なお、このステップＳ１０が、各請求項記載の予約受付手段として機能する。
【００９９】
ステップＳ２０では、制御部１０１は、上記ステップＳ１０で受け付けたカラオケ演奏曲の予約に基づき、大容量記憶装置１０３から、当該予約に係わるカラオケ演奏曲に対応したＭＩＤＩデータ、背景映像データ、及び歌詞データ等を読み出す。そして、音源１０６等に制御信号を出力して、上記読み出したＭＩＤＩデータの再生を開始させると共に、表示部１０９に制御信号を出力して、上記音源１０６等によるＭＩＤＩデータの再生と同期して、上記読み出した背景映像データ及び歌詞データの表示を開始させる。
【０１００】
その後、ステップＳ３０で、制御部１０１は、大容量記憶装置１０３から時間区分の初期値Ｔ０（例えば、Ｔ０＝３０［秒／区分］）を読み出す。そして、時間区分の長さＴを、上記読み出した初期値Ｔ０とする。
【０１０１】
そして、ステップＳ４０に移り、制御部１０１は、図示しない計時手段であるタイマの計時時間ｔを０にリセットすると共に、タイマによる計時を開始させる。
【０１０２】
その後、ステップＳ５０で、制御部１０１は、上記ステップＳ４０で開始させたタイマによる計時時間ｔが、この時点での時間区分の長さＴと等しくなったかどうか、言い換えれば、１つの時間区分が終了したかどうかを判定する。ｔ＝Ｔとなっていない場合、言い換えれば、１つの時間区分がまだ終了していない場合には、判定が満たされず、ステップＳ６０に移る。
【０１０３】
ステップＳ６０では、制御部１０１は、上記ステップＳ２０で開始された、音源１０６等によるＭＩＤＩデータの再生等が終了しているかどうかを判定する。ＭＩＤＩデータの再生等がまだ終了していない場合には、判定が満たされず上記ステップＳ５０に戻り、同様の手順を繰り返す。一方、ＭＩＤＩデータの再生等が終了している場合には、判定が満たされて、このフローを終了する。
【０１０４】
一方、上記ステップＳ５０において、ｔ＝Ｔとなった場合、言い換えれば、１つの時間区分が終了した場合には、ステップＳ５０の判定が満たされて、ステップＳ７０に移る。
【０１０５】
ステップＳ７０では、制御部１０１は、上記ステップＳ２０で音源１０６等によってＭＩＤＩデータの再生が行われた後、上記ステップＳ４０でタイマによる計時が開始されてから、上記ステップＳ５０の判定が満たされるまでの間にマイク１０５から入力される利用者のカラオケ歌唱の音声信号を、予め定められた採点基準に沿って採点する。これは言い換えれば、上記終了した時間区分においてマイク１０５から入力される利用者のカラオケ歌唱の音声信号を、採点していることに相当する。なお、この採点は、公知の適宜の手法で行えば足りるので、詳細な説明を省略する。また、このステップは、フローに示すように、時間区分が終了するごとに実行される。したがって、このステップが、各請求項記載の採点手段として機能する。
【０１０６】
そして、ステップＳ８０に移り、制御部１０１は、上記ステップＳ７０での上記終了した時間区分に対する新たな採点結果と、後述のステップＳ１７０で大容量記憶装置１０３に記憶された、当該終了した時間区分の１つ前の時間区分の採点結果とを比較する。そして、上記新たな採点結果が、上記１つ前の時間区分の採点結果と同じ得点となっているかどうかを判定する。新たな採点結果が１つ前の時間区分の採点結果と同じ得点となっている場合、及び、大容量記憶装置１０３に過去の採点結果が記憶されていない場合には、判定が満たされてステップＳ９０に移る。なお、このステップＳ８０も、フローに示すように、時間区分が終了するごとに実行される。
【０１０７】
ステップＳ９０では、制御部１０１は、上記終了した時間区分に対応する上記ステップＳ７０での採点結果に応じた割り込み映像データとして、上記得点不変演出に係わる割り込み映像データを、この時点で表示部１０９において表示されていた背景映像データに代えて、所定時間（例えば５秒間）だけ割り込み表示するように、表示部１０９を制御する。またこのとき、制御部１０１は、上記終了した時間区分に対応する上記ステップＳ７０での採点結果も、表示部１０９に表示させる。その後、後述のステップＳ１７０に移る。なお、このステップＳ９０も、フローに示すように、時間区分が終了するごとに実行される。
【０１０８】
一方、上記ステップＳ８０において、新たな採点結果が１つ前の時間区分の採点結果と同じ得点となっていなかった場合には、ステップＳ８０の判定が満たされずステップＳ１００に移る。
【０１０９】
ステップＳ１００では、制御部１０１は、上記ステップＳ７０での上記終了した時間区分に対する新たな採点結果と、後述のステップＳ１７０で大容量記憶装置１０３に記憶された、当該終了した時間区分の１つ前の時間区分の採点結果とを比較する。そして、上記新たな採点結果が、上記１つ前の時間区分の採点結果よりも高得点となっているかどうかを判定する。新たな採点結果が１つ前の時間区分の採点結果よりも低得点となっていた場合には、判定が満たされずステップＳ１１０に移る。なお、このステップＳ１００も、フローに示すように、時間区分が終了するごとに実行される。
【０１１０】
ステップＳ１１０では、制御部１０１は、上記終了した時間区分に対応する上記ステップＳ７０での採点結果に応じた割り込み映像データとして、上記得点ダウン演出に係わる割り込み映像データを、この時点で表示部１０９において表示されていた背景映像データに代えて、所定時間（例えば５秒間）だけ割り込み表示するように、表示部１０９を制御する。またこのとき、制御部１０１は、上記終了した時間区分に対応する上記ステップＳ７０での採点結果も、表示部１０９に表示させる。なお、このステップＳ１１０も、フローに示すように、時間区分が終了するごとに実行される。
【０１１１】
その後、ステップＳ１２０で、制御部１０１は、その時点での時間区分の長さＴに時間区分の延長値ａ（例えば、ａ＝５［秒］）を加えて、新たな時間区分の長さとする。つまり、これは実質的に、時間区分の長さを拡大するように制御していることに相当する。その後、後述のステップＳ１７０に移る。
【０１１２】
一方、上記ステップＳ１００において、新たな採点結果が１つ前の時間区分の採点結果よりも高得点となっていた場合には、ステップＳ１００の判定が満たされてステップＳ１３０に移る。
【０１１３】
ステップＳ１３０では、制御部１０１は、上記終了した時間区分に対応する上記ステップＳ７０での採点結果に応じた割り込み映像データとして、上記得点アップ演出に係わる割り込み映像データを、この時点で表示部１０９において表示されていた背景映像データに代えて、所定時間（例えば５秒間）だけ割り込み表示するように、表示部１０９を制御する。またこのとき、制御部１０１は、上記終了した時間区分に対応する上記ステップＳ７０での採点結果も、表示部１０９に表示させる。なお、このステップＳ１３０も、フローに示すように、時間区分が終了するごとに実行される。
【０１１４】
そして、ステップＳ１４０に移り、制御部１０１は、その時点での時間区分の長さＴから時間区分の短縮値ｂ（例えば、ｂ＝５［秒］）を差し引いた値Ｔ−ｂが、上記大容量記憶装置１０３に記憶された時間区分の初期値Ｔ０未満となるかどうかを判定する。これは実質的に、後述のステップＳ１５０で時間区分の長さＴが縮小される新たな時間区分が、上記初期値Ｔ０未満となるかどうかを判定していることに相当する。このステップが、各請求項記載の判定手段として機能する。Ｔ−ｂ＜Ｔ０となる場合、すなわち、後述のステップＳ１５０で時間区分の長さＴが縮小される新たな時間区分が上記初期値Ｔ０未満となる場合には、判定が満たされてステップＳ１５０に移る。
【０１１５】
ステップＳ１５０では、制御部１０１は、その時点での時間区分の長さＴから上記時間区分の延長値ｂを差し引いて、新たな時間区分の長さとする。これは実質的に、時間区分の長さを縮小するように制御していることに相当する。その後、後述のステップＳ１７０に移る。
【０１１６】
一方、上記ステップＳ１４０において、Ｔ−ｂ≧Ｔ０となる場合、すなわち、上記ステップＳ１５０で時間区分の長さＴが縮小される新たな時間区分が上記初期値Ｔ０以上となる場合には、ステップＳ１４０の判定が満たされずステップＳ１６０に移る。
【０１１７】
ステップＳ１６０では、制御部１０１は、大容量記憶装置１０３から上記時間区分の初期値Ｔ０を読み出す。そして、時間区分の長さＴを、上記読み出した初期値Ｔ０とする。これは実質的に、時間区分の長さＴの縮小を行わず、その時点での時間区分の長さＴ、言い換えれば、上記初期値Ｔ０を新たな時間区分としていることに相当する。
【０１１８】
ステップＳ１７０では、制御部１０１は、上記終了した時間区分に対応する上記ステップＳ７０での採点結果を大容量記憶装置１０３に記憶させる。なお、このステップは、時間区分が終了するごとに実行されるので、制御部１０１は、時間区分ごとの上記ステップＳ７０での採点結果を、順次大容量記憶装置１０３に記憶させている。その後、上記ステップＳ４０に戻り、同様の手順を繰り返す。
【０１１９】
なお、上記において、ステップＳ９０、ステップＳ１１０、及びステップＳ１３０が、各請求項記載の表示制御手段として機能する。また、ステップＳ８０及びステップＳ１００が、比較手段として機能する。
【０１２０】
またさらに、ステップＳ１２０、ステップＳ１５０、及びステップＳ１６０が、比較手段の比較結果に応じて、それ以降の時間区分の長さを可変に制御する区分制御手段として機能する。また、そのうち、ステップＳ１２０は拡大制御手段として機能し、ステップＳ１５０は縮小制御手段として機能する。また、ステップＳ１６０は、縮小中止手段としても機能する。
【０１２１】
以上説明したように、本実施形態においては、利用者がカラオケ演奏曲の予約をすると、当該カラオケ演奏曲に対応したＭＩＤＩデータが大容量記憶手段１０３より読み出されて音源１０６等により再生される。またこれと共に、背景映像データ等が大容量記憶手段１０３より読み出されて表示部１０９により表示される。そして、上記ＭＩＤＩデータの再生にしたがって利用者が当該カラオケ演奏曲の歌唱を行うと、当該カラオケ歌唱の音声信号がマイク１０５により入力される。上記入力された音声信号は、所定の時間区分ごとに、予め定められた採点基準に沿って採点される。
【０１２２】
ここで、本実施形態においては、娯楽性を高めるために、カラオケ装置１００の制御部１０１の制御により、上記時間区分ごとの採点結果に対応した割り込み表示が行われる。すなわち、表示部１０９が、上記時間区分が終了するごとに背景映像データの表示を止め、これに代えて、当該終了した時間区分の採点結果に応じた割り込み映像データを表示する。これにより、利用者は、直前の自己の歌唱がどのように評価されたかを、視覚的に強い印象で認識することができるので、利用者の興趣を向上することができる。
【０１２３】
そして、本実施形態においてはさらに、制御部１０１が、ある時間区分が終了して得られた新たな採点結果と、大容量記憶装置１０３に記憶された１つ前の回の時間区分の採点結果とを比較する。そして、制御部１０１が、その比較結果に応じて、それ以降の時間区分の長さＴを可変に制御する。これにより、採点結果が前回よりも向上していた場合には、割り込み表示によって利用者の歌唱意欲が向上し歌唱の調子がよくなってきたとみなし、さらに利用者の歌唱意欲を高揚させるために時間区分を短くし、次の割り込み映像データをそれまでよりも短い間隔で早めに表示させることができる。逆に採点結果が前回よりも低下していた場合には、割り込み表示によって利用者の歌唱意欲を阻害し利用者の歌唱の調子が悪くなってきたとみなし、利用者の歌唱意欲の低下を挽回させるために時間区分を長くし、次の割り込み映像データをそれまでよりも長い間隔で遅めに表示させることができる。
【０１２４】
以上のように、本実施形態では、割り込み映像データの表示による利用者の興趣の向上を基本としながらも、利用者の、割込映像データの表示間隔を変化させる。これにより、利用者のそのときの気持ち、体調、のどの調子、演奏曲に対する習熟度、あるいは利用者の性格等にきめ細かく対応させた、適切な娯楽サービスの提供を行うことができる。
【０１２５】
また、本実施形態では特に、カラオケ装置１００の制御部１０１は、上記ステップＳ１００での比較結果において、上記終了した時間区分に対する新たな採点結果が、上記１つ前の時間区分の採点結果よりも低得点となっていた場合には、時間区分の長さＴを拡大するように制御する（ステップＳ１２０を参照）。すなわち、前回の時間区分よりも得点が低下した場合、割り込み表示によって利用者の歌唱意欲が阻害され歌唱の調子が悪くなってきたとみなし、時間区分の長さを長くして、次の割り込み映像データをそれまでよりも長い間隔で遅めに表示させる。これにより、さらに利用者の歌唱意欲の低下を挽回させることができる。
【０１２６】
また、本実施形態では特に、カラオケ装置１００の制御部１０１は、上記ステップＳ１００での比較結果において、上記終了した時間区分に対する新たな採点結果が、上記１つ前の時間区分の採点結果よりも高得点となっていた場合には、時間区分の長さＴを縮小するように制御する（ステップＳ１５０を参照）。すなわち、前回の時間区分よりも得点が向上した場合、割り込み表示によって利用者の歌唱意欲が向上し歌唱の調子がよくなってきたとみなし、時間区分の長さを短くして、次の割り込み映像データをそれまでよりも短い間隔で早めに表示させる。これにより、さらに利用者の歌唱意欲を高揚させることができる。
【０１２７】
また、本実施形態では特に、カラオケ装置１００の制御部１０１は、上記時間区分の長さＴが縮小される新たな時間区分が、大容量記憶装置１０３に記憶された時間区分の初期値Ｔ０未満となるかどうかを判定する（ステップＳ１４０を参照）。そして、上記新たな時間区分が上記初期値Ｔ０未満となったと判定された場合には、制御部１０１は、時間区分の長さＴの縮小を行わず、その時点での時間区分の長さＴを新たな時間区分の長さとする（ステップＳ１６０を参照）。これにより、採点結果の向上が連続した場合であっても、制御部１０１により短縮される時間区分の最小値を当該カラオケ演奏曲における当初の時間区分とし、当該時間区分未満には短縮しないようにすることができる。また、カラオケ演奏曲の当初の時間区分より小さくはしないことにより、歌唱開始直後から採点結果が向上し続けている場合でも、背景映像データに過度に近い間隔で割り込み映像データが割り込み、背景画を見ながらカラオケ歌唱を行うこと自体が困難となるのを防止することができる。
【０１２８】
また、本実施形態では特に、カラオケ装置１００の制御部１０１は、その時点での時間区分の長さＴを、予め固定的に定められた短縮値ｂだけ差し引いて、新たな時間区分の長さとする。これにより、予め固定的に定めた短縮値ｂずつ、時間区分の長さを段階的に順次縮小することができる。
【０１２９】
なお、本発明は、上記実施形態に限られるものではなく、その趣旨及び技術的思想を逸脱しない範囲内で種々の変形が可能である。以下、そのような変形例を説明する。
【０１３０】
（１）割り込み映像データの表示を行わないモードを備える場合
すなわち、背景映像データと割り込み映像データとの両方を切り替えて表示可能なモードと、割り込み映像データの表示を行うことなく背景映像データの表示を行うモードを備えるようにしてもよい。
【０１３１】
本変形例においては、利用者が選択可能なモードとして、「通常モード」と「シンプルモード」との２種類のモードが備えられている。「通常モード」は、背景映像データと割り込み映像データとの両方を切り替えて表示可能なモードである。「シンプルモード」は、割り込み映像データの表示を行うことなく背景映像データの表示を行うモードである。
【０１３２】
図８を用いて、本変形例において、カラオケ装置１００の制御部１０１が実行する制御手順を説明する。
【０１３３】
図８において、例えばシステム管理者によりカラオケ装置１００の電源がオンにされることによって、図中「ＳＴＡＲＴ」位置で表されるように、このフローが開始される。
【０１３４】
まずステップＳ２１０で、制御部１０１は、利用者による操作部１０４又はリモコン２００の操作部２０４を介したモード選択操作に基づき、モード選択を受け付けたかどうかを判定する。利用者によるモード選択を受け付けるまで、判定が満たされずループして待機する。そして、利用者によるモード選択を受け付けたら、判定が満たされてステップＳ２２０に移る。
【０１３５】
その後、ステップＳ２２０で、制御部１０１は、上記ステップＳ２１０において受け付けたモードが、「通常モード」であったかどうかを判定する。「通常モード」であった場合には、判定が満たされてステップＳ２３０に移る。
【０１３６】
ステップＳ２３０では、制御部１０１は、所定の通常モード処理を実行する。なお、この通常モード処理の詳細手順は、前述の図７と同等であるので、説明を省略する。そして、このフローを終了する。
【０１３７】
一方、上記ステップＳ２１０において受け付けたモードが、「シンプルモード」であった場合には、ステップＳ２２０の判定が満たされずステップＳ４００に移る。
【０１３８】
ステップＳ４００では、制御部１０１は、所定のシンプルモード処理を実行する。なお、このシンプルモード処理の詳細手順は、後述の図９で説明する。そして、このフローを終了する。
【０１３９】
図９を用いて、上記図８のステップＳ４００の詳細手順を説明する。なお、この図９は、前述の図７に対応する図である。図７と同等の手順には同符号を付し説明を適宜省略する。
【０１４０】
図９において、前述の図７と異なる点は、ステップＳ８０〜ステップＳ１７０を省略して、ステップＳ４１０を新たに設けた点である。すなわち、ステップＳ７０で、制御部１０１が、上記終了した時間区分においてマイク１０５から入力される、利用者のカラオケ歌唱の音声信号を、採点したら、新たに設けたステップＳ４１０に移る。
【０１４１】
ステップＳ４１０では、制御部１０１は、その時点で表示部１０９に表示されている背景映像データと併せて、上記終了した時間区分に対応する前述のステップＳ７０での採点結果を表示するように、表示部１０９を制御する。これは実質的に、所定の時間区分が終了するごとの上記割り込み映像データの表示を行うことなく、背景映像データを表示するように、表示部１０９を制御していることに相当する。このステップも、各請求項記載の表示制御手段として機能する。
【０１４２】
本変形例によれば、上記実施形態と同様の効果を得る。さらに、本変形例においては、カラオケ装置１００の制御部１０１は、前述した「通常モード」及び「シンプルモード」を備えている。そして、上記図８のステップＳ２１０で受け付けたモードが「シンプルモード」であった場合には、制御部１０１は、所定の時間区分が終了するごとの割り込み映像データの表示を行うことなく、背景映像データを表示するように、表示部１０９を制御する。これにより、利用者のそのときの気持ち、体調、のどの調子、演奏曲に対する習熟度等の事情により、あるいは利用者の性格等により、採点結果に基づく割込映像データの表示をさせたくないと意図した場合に、「シンプルモード」を選択することで割り込み映像データの表示がなされなくなる。この結果、利用者は、割込映像データによる割り込みのない、落ち着いた表示により歌唱を楽しむことができる。
【０１４３】
また、図７、図８、図９に示すフローチャートは本発明を上記フローに示す手順に限定するものではなく、発明の趣旨及び技術的思想を逸脱しない範囲内で手順の追加・削除又は順番の変更等をしてもよい。
【０１４４】
また、以上既に述べた以外にも、上記実施形態や各変形例による手法を適宜組み合わせて利用しても良い。
【０１４５】
その他、一々例示はしないが、本発明は、その趣旨を逸脱しない範囲内において、種々の変更が加えられて実施されるものである。
【符号の説明】
【０１４６】
１                カラオケ演奏曲再生システム
１００            カラオケ装置
１０１            制御部
１０３            大容量記憶手段（楽曲データ記憶手段、映像データ記憶手段、採点結果記憶手段、初期時間区分記憶手段）
１０５            マイク（音声信号入力手段）
１０６            音源
１０７            音声制御部
１０８            スピーカ
１０９            表示部（表示手段）
２００            リモコン
３００            認証サーバ
【図１】
2011215196.tif 000003
【図２】
2011215196.tif 000004
【図３】
2011215196.tif 000005
【図４】
2011215196.tif 000006
【図５】
2011215196.tif 000007
【図６】
2011215196.tif 000008
【図７】
2011215196.tif 000009
【図８】
2011215196.tif 000010
【図９】
2011215196.tif 000011